(57)【要約】【課題】  火災等の災害の発生に際し、避難誘導路上にいる被誘導者に対して災害発生箇所との距離がどのくらいで、どれだけ緊急性があるかを視覚的に伝えることができるようにした災害表示システムおよび災害監視装置および災害表示装置を提供する。【解決手段】  複数の災害発生検知装置４００−1〜４００−ｍと近距離無線通信手段を用いて接続される災害発生監視装置１００と、この災害発生監視装置１００と近距離無線通信手段を用いて接続される避難誘導路３００に沿って所定間隔で設置された複数の災害発生表示装置２００−１〜２００−ｎとを設け、複数の災害発生表示装置２００−１〜２００−ｎは、災害発生監視装置１００から通知される災害発生箇所情報に基づき自装置と災害発生箇所との距離をそれぞれ判別して、表示部２０６の矢印表示を自装置と前記災害発生箇所との距離に対応した異なる態様で表示制御する。【選択図】  図１
2013073499.tif 000002
【特許請求の範囲】
【請求項１】
災害発生を監視する災害監視装置と、
前記災害監視装置と近距離通信手段を介して接続され、避難誘導路上に分散配置される複数の災害表示装置と
を有し、
前記災害監視装置は、
災害発生を検知する災害発生検知手段と、
前記災害発生検知手段による災害発生の検知に基づき災害発生箇所を特定する災害発生箇所特定手段と、
前記災害発生箇所特定手段で特定した災害発生箇所を示す災害発生箇所情報を前記複数の災害表示装置に前記近距離通信手段を介して通知する通知手段と
を具備し、
前記複数の災害表示装置は、
前記通知手段により通知された前記災害発生箇所情報を受信する受信手段と、
前記受信手段で受信した前記災害発生箇所情報に基づき自装置と災害発生箇所との距離を判別する判別手段と、
前記避難誘導路上の避難誘導方向を矢印表示する表示手段と、
前記表示手段の矢印表示を前記判別手段で判別した自装置と前記災害発生箇所との距離に対応した異なる態様で表示制御する表示制御手段と
をそれぞれ具備することを特徴とする災害表示システム。
【請求項２】
前記災害発生検知手段は、
温度センサおよび煙センサを含む内部災害検知手段と、
外部災害検知装置からの災害発生信号を受信する災害発生信号受信手段と
を具備し、前記内部災害検知手段の検知出力もしくは前記災害発生信号受信手段の受信出力に基づき災害発生を検知し、
前記災害発生箇所特定手段は、
前記災害発生検知手段が、前記内部検知手段の検知出力に基づき災害発生を検知した場合は、前記災害監視装置の設置位置を災害発生箇所として特定し、前記災害発生信号受信手段の受信出力に基づき災害発生を検知した場合は、前記災害発生信号の発信元の外部災害検知装置の設置位置を災害発生箇所として特定することを特徴とする請求項１に記載の災害表示システム。
【請求項３】
前記表示制御手段は、
前記表示手段による前記矢印表示を、自装置と前記災害発生箇所との距離に対応して異なる色で表示することを特徴とする請求項１または２に記載の災害表示システム。
【請求項４】
前記表示制御手段は、
前記表示手段による前記矢印表示を、自装置と前記災害発生箇所との距離に対応して異なる点滅周期で点滅制御することを特徴とする請求項１乃至３のいずれかに記載の災害表示システム。
【請求項５】
災害発生の監視領域の壁面若しくは天井に設置され、避難誘導路上に分散配置される複数の災害表示装置と近距離通信手段を介して接続される災害監視装置であって、
温度センサと、
煙センサと、
前記温度センサと前記煙センサの検知出力に基づき災害の発生を検知する内部災害発生検知手段と、
外部災害検知装置からの災害発生信号を受信する災害発生信号受信手段と、
前記内部災害検知手段の検知出力もしくは前記災害発生信号受信手段の受信出力に基づき災害発生を検知する災害発生検知手段と、
前記災害発生検知手段が、前記内部検知手段の検知出力に基づき災害発生を検知した場合は、自装置の設置位置を災害発生箇所として特定し、前記災害発生信号受信手段の受信出力に基づき災害発生を検知した場合は、前記災害発生信号の発信元の外部災害検知装置の設置位置を災害発生箇所として特定する災害発生箇所特定手段と、
前記災害発生箇所特定手段で特定した災害発生箇所を示す災害発生箇所情報を前記複数の災害表示装置に近距離通信手段を介して通知する通知手段と、
前記災害発生箇所特定手段で特定した災害発生箇所を示す災害発生箇所情報に基づき災害発生を報知する災害発生報知手段と
を具備することを特徴とする災害監視装置。
【請求項６】
災害発生を監視する災害監視装置と近距離通信手段を介して接続され、避難誘導路上に分散配置される災害表示装置であって、
前記災害監視装置から通知された前記災害発生箇所情報を受信する受信手段と、
前記受信手段で受信した前記災害発生箇所情報に基づき自装置と災害発生箇所との距離を判別する判別手段と、
前記避難誘導路上の避難誘導方向を矢印表示する表示手段と、
前記判別手段で判別した自装置と前記災害発生箇所との距離に対応した異なる態様で前記表示手段の矢印表示を表示制御する表示制御手段と
を具備することを特徴とする災害表示装置。
【請求項７】
前記表示制御手段は、
前記表示手段による前記矢印表示を、自装置と前記災害発生箇所との距離に対応して異なる色で表示することを特徴とする請求項６に記載の災害表示装置。
【請求項８】
前記表示制御手段は、
前記発光手段による前記矢印表示を、自装置と前記災害発生箇所との距離に対応して異なる点滅周期で点滅制御することを特徴とする請求項６または７に記載の災害表示装置。
【発明の詳細な説明】
【技術分野】
【０００１】
この発明は、火災等の災害の発生を表示する災害表示システムおよび災害監視装置および災害表示装置に関する。
【背景技術】
【０００２】
従来、特許文献１に示すように、避難誘導路に複数の誘導装置を所定間隔で配置し、この誘導装置から光、音等を順次発生することにより被誘導者に避難誘導方向を知らせることで、災害発生等に際して被誘導者を所定の避難誘導路に沿って安全かつ確実に誘導することができるようにした「避難誘導システム」が知られている。
【０００３】
しかし、特許文献１に開示された「避難誘導システム」においては、被誘導者に対して誘導方向は伝えることはできても、現位置が災害発生箇所とどれだけ離れており、どれだけ緊急性があるかの情報は伝えることができない。
【先行技術文献】
【特許文献】
【０００４】
【特許文献１】特開２００８−１９４４２２号公報
【発明の概要】
【発明が解決しようとする課題】
【０００５】
そこで、この発明は、火災等の災害の発生に際し、避難誘導路上にいる被誘導者に対して災害発生箇所との距離がどのくらいで、どれだけ緊急性があるかを視覚的に伝えることができるようにした災害表示システムおよび災害監視装置および災害表示装置を提供することを目的とする。
【課題を解決するための手段】
【０００６】
上記目的を達成するため、請求項１の発明の災害表示システムは、災害発生を監視する災害監視装置と、前記災害監視装置と近距離通信手段を介して接続され、避難誘導路上に分散配置される複数の災害表示装置とを有し、前記災害監視装置は、災害発生を検知する災害発生検知手段と、前記災害発生検知手段による災害発生の検知に基づき災害発生箇所を特定する災害発生箇所特定手段と、前記災害発生箇所特定手段で特定した災害発生箇所を示す災害発生箇所情報を前記複数の災害表示装置に前記近距離通信手段を介して通知する通知手段とを具備し、前記複数の災害表示装置は、前記通知手段により通知された前記災害発生箇所情報を受信する受信手段と、前記受信手段で受信した前記災害発生箇所情報に基づき自装置と災害発生箇所との距離を判別する判別手段と、前記避難誘導路上の避難誘導方向を矢印表示する表示手段と、前記表示手段の矢印表示を前記判別手段で判別した自装置と前記災害発生箇所との距離に対応した異なる態様で表示制御する表示制御手段とをそれぞれ具備することを特徴とする。
【０００７】
請求項２の発明は、請求項１の発明において、前記災害発生検知手段は、温度センサおよび煙センサを含む内部災害検知手段と、外部災害検知装置からの災害発生信号を受信する災害発生信号受信手段とを具備し、前記内部災害検知手段の検知出力もしくは前記災害発生信号受信手段の受信出力に基づき災害発生を検知し、前記災害発生箇所特定手段は、前記災害発生検知手段が、前記内部検知手段の検知出力に基づき災害発生を検知した場合は、前記災害監視装置の設置位置を災害発生箇所として特定し、前記災害発生信号受信手段の受信出力に基づき災害発生を検知した場合は、前記災害発生信号の発信元の外部災害検知装置の設置位置を災害発生箇所として特定することを特徴とする。
【０００８】
請求項３の発明は、請求項１または２の発明において、前記表示制御手段は、前記表示手段による前記矢印表示を、自装置と前記災害発生箇所との距離に対応して異なる色で表示することを特徴とする。
【０００９】
請求項４の発明は、請求項１乃至３のいずれかの発明において、前記表示制御手段は、前記表示手段による前記矢印表示を、自装置と前記災害発生箇所との距離に対応して異なる点滅周期で点滅制御することを特徴とする。
【００１０】
請求項５の発明は、災害発生の監視領域の壁面若しくは天井に設置され、避難誘導路上に分散配置される複数の災害表示装置と近距離通信手段を介して接続される災害監視装置であって、温度センサと、煙センサと、前記温度センサと前記煙センサの検知出力に基づき災害の発生を検知する内部災害発生検知手段と、外部災害検知装置からの災害発生信号を受信する災害発生信号受信手段と、前記内部災害検知手段の検知出力もしくは前記災害発生信号受信手段の受信出力に基づき災害発生を検知する災害発生検知手段と、前記災害発生検知手段が、前記内部検知手段の検知出力に基づき災害発生を検知した場合は、自装置の設置位置を災害発生箇所として特定し、前記災害発生信号受信手段の受信出力に基づき災害発生を検知した場合は、前記災害発生信号の発信元の外部災害検知装置の設置位置を災害発生箇所として特定する災害発生箇所特定手段と、前記災害発生箇所特定手段で特定した災害発生箇所を示す災害発生箇所情報を前記複数の災害表示装置に近距離通信手段を介して通知する通知手段と、前記災害発生箇所特定手段で特定した災害発生箇所を示す災害発生箇所情報に基づき災害発生を報知する災害発生報知手段とを具備することを特徴とする。
【００１１】
請求項６の発明は、災害発生を監視する災害監視装置と近距離通信手段を介して接続され、避難誘導路上に分散配置される災害表示装置であって、前記災害監視装置から通知された前記災害発生箇所情報を受信する受信手段と、前記受信手段で受信した前記災害発生箇所情報に基づき自装置と災害発生箇所との距離を判別する判別手段と、前記避難誘導路上の避難誘導方向を矢印表示する表示手段と、前記判別手段で判別した自装置と前記災害発生箇所との距離に対応した異なる態様で前記表示手段の矢印表示を表示制御する表示制御手段とを具備することを特徴とする。
【００１２】
請求項７の発明は、請求項６の発明において、前記表示制御手段は、前記表示手段による前記矢印表示を、自装置と前記災害発生箇所との距離に対応して異なる色で表示することを特徴とする。
【００１３】
請求項８の発明は、請求項６または７の発明において、前記表示制御手段は、前記発光手段による前記矢印表示を、自装置と前記災害発生箇所との距離に対応して異なる点滅周期で点滅制御することを特徴とする。
【発明の効果】
【００１４】
この発明によれば、火災等の災害の発生に際し、避難誘導路上にいる被誘導者に対して災害発生箇所との距離がどのくらいで、どれだけ緊急性があるかを視覚的に伝えることができるので、更に安全に被誘導者を避難誘導路に沿って案内することが可能になる。
【図面の簡単な説明】
【００１５】
【図１】図１は、この発明に係わる災害表示システムの一例を示すシステム構成図である。
【図２】図２は、図１に示した災害監視装置の詳細の一例を示すブロック図である。
【図３】図３は、図２に示した災害監視装置の外観の一例を示す図である。
【図４】図４は、図２に示した災害監視装置の外観の他の例を示す図である。
【図５】図５は、図２に示した災害監視装置の外観の更に他の例を示す図である。
【図６】図６は、図１に示した災害表示装置の詳細の一例を示すブロック図である。
【図７】図７は、図１に示した災害表示装置の外観の一例を示す図である。
【図８】図８は、図１に示した災害監視装置の動作を説明するフローチャートである。
【図９】図９は、図１に示した災害表示装置の動作を説明するフローチャートである。
【発明を実施するための形態】
【００１６】
以下、この発明に係わる災害表示システムおよび災害監視装置および災害表示装置の実施の形態を添付図面を参照して詳細に説明する。
【００１７】
図１は、この発明に係わる災害表示システムの一例を示すシステム構成図である。
【００１８】
図１において、この実施例の災害表示システム１０は、この災害表示システム１０が、複数の部屋が廊下で接続されて分散配置されているような一定規模の、例えば、公共施設等に適用される場合を想定しており、ここで、災害とは、例えば火災を想定している。この場合、火災発生時には、廊下等を避難誘導路として避難可能である。
【００１９】
図１に示すこの実施例の災害表示システム１０において、災害発生監視装置１００は、この施設の中の、例えば、火災発生の可能性がある箇所の中の１箇所に配置され、複数の災害発生検知装置４００−1〜４００−ｍは、この施設の中の火災発生の可能性がある他の箇所にそれぞれ配置される。
【００２０】
災害発生監視装置１００は、自装置の設置箇所における災害（火災）発生を検知する機能を有し、また、災害発生検知装置４００−1〜４００−ｍは、各装置のそれぞれの設置箇所における災害（火災）発生を検知する機能を有する。
【００２１】
複数の災害発生表示装置２００−１〜２００−ｎは、この施設の廊下等の避難誘導路３００の側壁、床、天井等に沿って所定間隔で設置され、火災等の発生に際して、被誘導者を避難誘導路３００を通って安全な場所に避難誘導するための矢印表示等を行う表示装置を有する。
【００２２】
この実施例の災害表示システム１０において、災害発生表示装置２００−１〜２００−ｎは、災害発生監視装置１００または災害発生検知装置４００−1〜４００−ｍでの災害（火災）発生の検知に基づき災害発生監視装置１００から通知される災害発生箇所情報に際して、この災害発生箇所情報に基づき、自装置と災害発生箇所との距離をそれぞれ判別し、上記表示装置の矢印表示を自装置と前記災害発生箇所との距離に対応した異なる態様で表示制御する表示制御機能を有する。
【００２３】
災害発生監視装置１００と複数の災害発生検知装置４００−1〜４００−ｍとの間および災害発生監視装置１００と複数の災害発生表示装置２００−１〜２００−ｎとの間および各災害発生表示装置２００−１〜２００−ｎの間は、ジグビー（商標）等の近距離無線通信手段を用いて接続され、災害発生監視装置１００は、この近距離無線通信手段を用いて複数の災害発生検知装置４００−1〜４００−ｍと通信して、この施設全体の災害（火災）発生を監視し、災害（火災）の発生が検知されると、その災害（火災）発生箇所を特定して、その特定した災害（火災）発生箇所を示す災害発生箇所情報をこの近距離無線通信手段を用いて複数の災害発生表示装置２００−１〜２００−ｎに通知する。
【００２４】
また、複数の災害発生表示装置２００−１〜２００−ｎは、この近距離無線通信手段を用いて互いに通信を行い、災害（火災）発生時には、被誘導者を安全な場所に避難誘導するために、各災害発生表示装置２００−１〜２００−ｎの上記表示装置の矢印表示を、順次点灯させる等の誘導制御を行う。
【００２５】
図２は、図１に示した災害監視装置１００の詳細の一例を示すブロック図である。
【００２６】
図２において、災害監視装置１００は、電源部１０１、近距離無線通信部１０２、記憶部１０３、温度センサ１０４、煙センサ１０５、災害発生検知部１０６、災害発生箇所特定部１０７、表示制御部１０８、音声案内部１１０を制御部１２０に接続して構成される。
【００２７】
電源部１０１は、この災害監視装置１００に電源を供給するもので、電池、商用電源、商用電源により充電される充電池等から構成される。
【００２８】
近距離無線通信部１０２は、図１に示した複数の災害発生検知装置４００−1〜４００−ｍとの間および複数の災害発生表示装置２００−１〜２００−ｎとの間の近距離無線通信を制御するもので、複数の災害発生検知装置４００−1〜４００−ｍからの、そのれぞれの配置箇所での災害（火災）発生の検知に基づく災害発生信号の受信および複数の災害発生表示装置２００−１〜２００−ｎに対する災害発生箇所情報の通知等を行う。
【００２９】
記憶部１０３は、複数の災害発生検知装置４００−1〜４００−ｍとの間の近距離無線通信により取得した災害発生箇所情報等を記憶する。
【００３０】
温度センサ１０４は、この災害監視装置１００の設置位置での火災発生に伴い上昇する周囲温度を検知するものであり、煙センサ１０５は、この災害監視装置１００の設置位置での火災発生に伴い発生する煙を検知するものである。
【００３１】
災害発生検知部１０６は、この施設全体の災害（火災）発生を検知するもので、温度センサ１０４の検知出力および煙センサ１０５の検知出力に基づきこの災害監視装置１００の設置位置での火災発生を検知し、近距離無線通信部１０２で受信した複数の災害発生検知装置４００−1〜４００−ｍからの災害発生信号に基づき各災害発生検知装置４００−1〜４００−ｍの設置位置での火災発生を検知する。
【００３２】
災害発生箇所特定部１０７は、災害発生検知部１０６での災害発生の検知に基づき、この施設内の災害（火災）発生箇所を特定する。
【００３３】
表示制御部１０８は、災害発生検知部１０６での災害発生の検知に基づき、災害発生を表示部１０９に表示する。この表示部１０９における災害発生の表示は、災害発生情報を文字表示により表示部１０９に表示するようにしてもよいが、災害発生の表示を特定の色若しくはその点滅により行ってもよい。
【００３４】
例えば、災害発生検知部１０６での災害発生の検知が、自装置における温度センサ１０４または煙センサ１０５の検知出力に基づき行われた場合は、災害（火災）の発生箇所が近いので、赤色の高速での点滅制御を行い、災害発生検知部１０６での災害発生の検知が、近距離無線通信部１０２で受信した災害発生信号に基づき行われ、その災害発生信号の送信元の災害発生検知装置が自装置から遠い場合は、青色の低速での点滅制御を行い、近距離無線通信部１０２で受信した災害発生信号の送信元の災害発生検知装置が自装置から中距離である場合は、黄色の中速での点滅制御を行うようにしてもよい。
【００３５】
音声案内部１１０は、災害発生検知部１０６での災害発生の検知に基づき、スピーカ１１を用いて音声での災害発生報知を行う。この音声での災害発生報知は、災害発生に際しての注意事項、非難誘導案内情報の報知を行ってもよい。
【００３６】
制御部１２０は、電源部１０１からの給電により動作し、近距離無線通信部１０２、記憶部１０３、温度センサ１０４、煙センサ１０５、災害発生検知部１０６、災害発生箇所特定部１０７、表示制御部１０８、音声案内部１１０を統括制御する。
【００３７】
図３は、図２に示した災害監視装置１００の外観の一例を示す図である。
【００３８】
図３に示す災害監視装置１００は、災害発生監視箇所の側壁等に設置されるもので、その前面に表示部１０９、スピーカ１１１が設けられており、その下面に温度センサ１０４、煙センサ１０５が設けられている。
【００３９】
この災害監視装置１００においては、温度センサ１０４および煙センサ１０５の検知出力に基づき災害（火災）発生を検知し、表示部１０９の表示により火災発生の報知を行うとともに、スピーカ１１１により災害（火災）発生に伴う必要な音声報知を行う。
【００４０】
この構成の場合、表示部１０９の表示による火災発生の報知は、表示部１０９における文字情報等の表示若しくは、その文字情報若しくは表示部１０９全体の発光色若しくはその点滅制御によって行われる。
【００４１】
図４は、図２に示した災害監視装置１００の外観の他の例を示す図である。
【００４２】
図４に示す災害監視装置１００は、災害発生監視箇所の天井等に設置されるもので、円錐台状の表示部１０９と、その下面に設けられた温度センサ１０４、スピーカ１１１、煙センサ１０５を有する。
【００４３】
この災害監視装置１００においても、温度センサ１０４および煙センサ１０５の検知出力に基づき災害（火災）発生を検知し、表示部１０９の表示により火災発生の報知を行うとともに、スピーカ１１１により災害（火災）発生に伴う必要な音声報知を行う。
【００４４】
この構成の場合、表示部１０９の表示による火災発生の報知は、表示部１０９全体の発光色若しくはその点滅制御によって行われる。
【００４５】
図５は、図２に示した災害監視装置１００の外観の更に他の例を示す図である。
【００４６】
図５に示す災害監視装置１００は、図４に示す災害監視装置１００と同様に、災害発生監視箇所の天井等に設置されるものであるが、この災害監視装置１００においては、表示部１０９が火災発生報知機能とともに、照明装置としての機能を有している。
【００４７】
すなわち、この災害監視装置１００は、通常、照明装置として機能する表示部１０９の中央部に、温度センサ１０４、スピーカ１１１、煙センサ１０５が設けられており、温度センサ１０４および煙センサ１０５の検知出力に基づき災害（火災）発生を検知し、表示部１０９全体の発光色若しくはその点滅制御により火災発生を報知し、また、スピーカ１１１により災害（火災）発生に伴う必要な音声報知を行う。
【００４８】
図６は、図１に示した災害表示装置２００の詳細の一例を示すブロック図である。
【００４９】
図６において、災害表示装置２００は、電源部２０１、近距離無線通信部２０２、記憶部２０３、距離判定部２０４、表示制御部２０５を制御部２１０に接続して構成される。  電源部２０１は、この災害表示装置２００に電源を供給するもので、電池、商用電源、商用電源により充電される充電池等から構成される。
【００５０】
近距離無線通信部２０２は、図１に示した災害監視装置１００との間の近距離無線通信の制御により、災害監視装置１００からの災害発生箇所情報の通知を受信するとともに、複数の災害発生表示装置２００−１〜２００−ｎ相互間の近距離無線通信を制御して、
災害（火災）発生時には、被誘導者を安全な場所に避難誘導するために、各災害発生表示装置２００−１〜２００−ｎの上記表示装置の矢印表示を、順次点灯させる等の誘導制御を行う。
【００５１】
記憶部１０３は、災害監視装置１００との間の近距離無線通信により、災害監視装置１００から取得した災害発生箇所情報等を記憶する。
【００５２】
距離判別部２０４は、災害監視装置１００との間の近距離無線通信により、災害監視装置１００から取得した災害発生箇所情報に基づき自装置と災害（火災）発生箇所との距離の判別を行う。具体的には、自装置と災害（火災）発生箇所との間の距離を第１の距離と第１の距離より大きい第２の距離と比較して、自装置と災害（火災）発生箇所との間の距離が第１の距離より近いと、近距離と判別し、第１の距離と第２の距離との間にあると、中距離と判別し、第２の距離より遠いと、遠距離と判別する。
【００５３】
表示制御部２０５は、災害（火災）発生時に、被誘導者を安全な場所に避難誘導するため災害（火災）発生時に、被誘導者を安全な場所に避難誘導するために、表示部２０６に誘導方向を示す矢印表示を行うとともに、この矢印表示を、距離判別部２０４の判定結果に基づき異なる色若しくは点滅周期で報知する。
【００５４】
例えば、距離判別部２０４で、自装置と災害（火災）発生箇所との間の距離が、近距離であると判別されると、表示部２０６に表示される矢印表示を赤色で高速点滅するように制御し、中距離であると判別されると、表示部２０６に表示される矢印表示を黄色で中速点滅するように制御し、遠距離であると判別されると、表示部２０６に表示される矢印表示を青色で低速点滅するように制御する。
【００５５】
図７は、図１に示した災害表示装置２００の外観の一例を示す図である。
【００５６】
図７に示す災害表示装置２００は、避難誘導路３００の壁面に設置されるもので、その前面に、表示部２０６が設けられている。この表示部２０６には、災害（火災）発生時に、被誘導者を安全な場所に避難誘導するための誘導方向を示す矢印表示がなされるとともに、この矢印表示が距離判別部２０４の判定結果に基づき異なる色若しくは点滅周期で表示制御される。
【００５７】
なお、図７には、避難誘導路３００の壁面に設置される災害表示装置２００を示したが、この災害表示装置２００は、避難誘導路３００の床面若しくは天井に取り付けられるように構成してもよい。
【００５８】
図８は、図１に示した災害監視装置の動作を説明するフローチャートである。
【００５９】
この処理が開始されると、制御部１２０は、電源がＯＮされたかを調べ（ステップ８０１）、電源がＯＮされていないと（ステップ８０１でＮＯ）、ステップ８０１に戻り、電源がＯＮされるのを待つが、ステップ８０１で、電源がＯＮされていると判断されると（ステップ８０１でＹＥＳ）、近距離通信部１０２による通信を開始し（ステップ８０２）、災害発生検知装置４００−1〜４００−ｍから災害発生信号を受信したかを調べる（ステップ８０３）。
【００６０】
災害発生検知装置４００−1〜４００−ｍのいずれかから災害発生信号を受信すると（ステップ８０３でＹＥＳ）、この災害発生信号の発信元の災害発生検知装置の設置位置を災害発生箇所として特定し（ステップ８０４）、表示制御部１０８を制御して、表示装置１０９に災害発生を表示する（ステップ８０５）。
【００６１】
次に、近距離無線通信部１０２を制御して、災害発生箇所が災害発生信号の発信元の災害発生検知装置の設置位置であるとする災害発生箇所通知を災害発生表示装置２００−１〜２００−ｎに対して行う（ステップ８０６）。そして、音声案内装置１１０を制御して、スピーカ１１１から災害発生の音声案内報知を行う（ステップ８０７）。
【００６２】
ステップ８０３で、災害発生信号を受信していないと判断されると（ステップ８０３でＮＯ）、次に、自装置の温度センサ１０４または煙センサ１０５の検知出力に基づき災害発生を検知したかを調べる（ステップ８０８）。
【００６３】
ここで、災害発生を検知したと判断されると（ステップ８０８でＹＥＳ）、災害発生箇所を自装置の配置位置であると特定し（ステップ８０９）、表示制御部１０８を制御して、表示装置１０９に災害発生を表示する（ステップ８１０）。
【００６４】
次に、近距離無線通信部１０２を制御して、災害発生箇所が自装置の設置位置であるとする災害発生箇所情報を災害発生表示装置２００−１〜２００−ｎに通知する（ステップ８１１）。そして、音声案内装置１１０を制御して、スピーカ１１１から災害発生の音声案内報知を行う（ステップ８１２）。
【００６５】
次に、電源ＯＦＦかを調べ（ステップ８１３）、電源ＯＦＦであると（ステップ８１３でＹＥＳ）、近距離無線通信部１２０による通信を終了し（ステップ８１４）、この処理を終了するが、ステップ８１３で、電源ＯＦＦでないと判断されると（ステップ８１３でＮＯ）、ステップ８０３に戻る。
【００６６】
図９は、図１に示した災害表示装置の動作を説明するフローチャートである。
【００６７】
この処理が開始されると、制御部２１０は、電源がＯＮされたかを調べ（ステップ９０１）、電源がＯＮされていないと（ステップ９０１でＮＯ）、ステップ９０１に戻り、電源がＯＮされるのを待つが、ステップ９０１で、電源がＯＮされていると判断されると（ステップ９０１でＹＥＳ）、近距離通信部２０２による通信を開始し（ステップ９０２）、災害監視装置１００から災害発生箇所情報の通知を受信したかを調べる（ステップ９０３）。
【００６８】
ステップ９０３で、災害監視装置１００から災害発生箇所情報の通知を受信したと判断されると（ステップ９０３でＹＥＳ）、距離判別部２０４による自装置と災害発生箇所との距離の判別を行う（ステップ９０４）。
【００６９】
次に、距離判別部２０４で判別された自装置と災害発生箇所との距離は、近距離かの判断がなされ（ステップ９０５）、ここで、近距離と判断されると（ステップ９０５でＹＥＳ）、表示制御部２０５を制御し、表示部２０６の矢印表示を赤色高速点滅表示に制御する（ステップ９０６）。
【００７０】
ステップ９０５で、自装置と災害発生箇所との距離が近距離ではないと判断されると（ステップ９０５でＮＯ）、次に、距離判別部２０４で判別された自装置と災害発生箇所との距離は、中距離かを調べる（ステップ９０７）。ここで、自装置と災害発生箇所との距離が中距離であると判断されると（ステップ８０７でＹＥＳ）、表示制御部２０５を制御し、表示部２０６の矢印表示を黄色中速点滅表示に制御する（ステップ９０８）。
【００７１】
ステップ９０７で、自装置と災害（火災）発生箇所との距離が中距離ではないと判断されると（ステップ９０７でＮＯ）、自装置と災害（火災）発生箇所との距離は遠距離であると判断して、表示制御部２０５を制御し、表示部２０６の矢印表示を青色低速点滅表示に制御する（ステップ９０９）。
【００７２】
次に、電源ＯＦＦかを調べ（ステップ９１０）、電源ＯＦＦであると（ステップ９１０でＹＥＳ）、近距離無線通信部２０２による災害監視装置１００との通信を終了し（ステップ９１１）、この処理を終了するが、ステップ９１０で、電源ＯＦＦでないと判断されると（ステップ９１０でＮＯ）、ステップ９０３に戻る。
【００７３】
以上が本発明の代表的な実施形態の一例であるが、本発明は、上記実施例及び図面に示す実施例に限定することなく、その要旨を変更しない範囲内で適宜変形して実施できるものである。
【符号の説明】
【００７４】
１０    災害表示システム
１００    災害監視装置
１０１    電源部
１０２    近距離無線通信部
１０３    記憶部
１０４    温度センサ
１０５    煙センサ
１０６    災害発生検知部
１０７    災害発生箇所特定部
１０８    表示制御部
１０９    表示部
１１０    音声案内部
１１１    スピーカ
１２０    制御部
２００、２００−１〜２００−ｎ    災害表示装置
２０１    電源部
２０２    近距離無線通信部
２０３    記憶部
２０４    距離判定部
２０５    表示制御部
２１０    制御部
３００    避難誘導路
４００、４００−１〜４００−ｍ    災害発生検知装置
【図１】
2013073499.tif 000003
【図２】
2013073499.tif 000004
【図３】
2013073499.tif 000005
【図４】
2013073499.tif 000006
【図５】
2013073499.tif 000007
【図６】
2013073499.tif 000008
【図７】
2013073499.tif 000009
【図８】
2013073499.tif 000010
【図９】
2013073499.tif 000011
【手続補正書】
【提出日】平成24年2月23日(2012.2.23)
【手続補正１】
【補正対象書類名】明細書
【補正対象項目名】０００６
【補正方法】変更
【補正の内容】
【０００６】
上記目的を達成するために、請求項１の発明の災害表示システムは、災害発生を監視する災害監視装置と、前記災害監視装置と第１の近距離通信手段を介して接続されるとともに、相互に第２の近距離通信手段を介して接続され、避難誘導路上に分散配置される複数の災害表示装置とを有し、前記災害監視装置は、災害発生を検知する災害発生検知手段と、前記災害発生検知手段による災害発生の検知に基づき災害発生箇所を特定する災害発生箇所特定手段と、前記災害発生箇所特定手段で特定した災害発生箇所を示す災害発生箇所情報を前記複数の災害表示装置に前記第１の近距離通信手段を介して通知する通知手段とを具備し、前記複数の災害表示装置は、前記通知手段により通知された前記災害発生箇所情報を受信する受信手段と、前記受信手段で受信した前記災害発生箇所情報に基づき自装置と災害発生箇所との距離を判別する判別手段と、前記避難誘導路上の避難誘導方向を矢印表示する表示手段と、前記第２の近距離通信手段を用いて前記災害表示装置の相互間で通信を行い、被誘導者を前記避難誘導路に沿って誘導すべく、前記表示手段の矢印表示を前記判別手段で判別した自装置と前記災害発生箇所との距離に対応した異なる態様で、順次表示制御する表示制御手段とをそれぞれ具備することを特徴とする。
【手続補正２】
【補正対象書類名】明細書
【補正対象項目名】００１０
【補正方法】変更
【補正の内容】
【００１０】
請求項５の発明は、請求項１に記載の災害表示システムで用いられる災害監視装置であって、温度センサと、煙センサと、前記温度センサと前記煙センサの検知出力に基づき災害の発生を検知する内部災害発生検知手段と、外部災害検知装置からの災害発生信号を受信する災害発生信号受信手段と、前記内部災害検知手段の検知出力もしくは前記災害発生信号受信手段の受信出力に基づき災害発生を検知する災害発生検知手段と、前記災害発生検知手段が、前記内部検知手段の検知出力に基づき災害発生を検知した場合は、自装置の設置位置を災害発生箇所として特定し、前記災害発生信号受信手段の受信出力に基づき災害発生を検知した場合は、前記災害発生信号の発信元の外部災害検知装置の設置位置を災害発生箇所として特定する災害発生箇所特定手段と、前記災害発生箇所特定手段で特定した災害発生箇所を示す災害発生箇所情報を前記複数の災害表示装置に前記第１の近距離通信手段を介して通知する通知手段と、前記災害発生箇所特定手段で特定した災害発生箇所を示す災害発生箇所情報に基づき災害発生を報知する災害発生報知手段とを具備することを特徴とする。
【手続補正３】
【補正対象書類名】明細書
【補正対象項目名】００１１
【補正方法】変更
【補正の内容】
【００１１】
請求項６の発明は、請求項１に記載の災害表示システムで用いられる災害表示装置であって、前記災害監視装置から通知された前記災害発生箇所情報を受信する受信手段と、前記受信手段で受信した前記災害発生箇所情報に基づき自装置と災害発生箇所との距離を判別する判別手段と、前記避難誘導路上の避難誘導方向を矢印表示する表示手段と、前記第２の近距離通信手段を用いて前記災害表示装置の相互間で通信を行い、被誘導者を前記避難誘導路に沿って誘導すべく、前記表示手段の矢印表示を前記判別手段で判別した自装置と前記災害発生箇所との距離に対応した異なる態様で、順次表示制御する表示制御手段とを具備することを特徴とする。
【手続補正４】
【補正対象書類名】特許請求の範囲
【補正対象項目名】全文
【補正方法】変更
【補正の内容】
【特許請求の範囲】
【請求項１】
災害発生を監視する災害監視装置と、
前記災害監視装置と第１の近距離通信手段を介して接続されるとともに、相互に第２の近距離通信手段を介して接続され、避難誘導路上に分散配置される複数の災害表示装置と
を有し、
前記災害監視装置は、
災害発生を検知する災害発生検知手段と、
前記災害発生検知手段による災害発生の検知に基づき災害発生箇所を特定する災害発生箇所特定手段と、
前記災害発生箇所特定手段で特定した災害発生箇所を示す災害発生箇所情報を前記複数の災害表示装置に前記第１の近距離通信手段を介して通知する通知手段と
を具備し、
前記複数の災害表示装置は、
前記通知手段により通知された前記災害発生箇所情報を受信する受信手段と、
前記受信手段で受信した前記災害発生箇所情報に基づき自装置と災害発生箇所との距離を判別する判別手段と、
前記避難誘導路上の避難誘導方向を矢印表示する表示手段と、
前記第２の近距離通信手段を用いて前記災害表示装置の相互間で通信を行い、被誘導者を前記避難誘導路に沿って誘導すべく、前記表示手段の矢印表示を前記判別手段で判別した自装置と前記災害発生箇所との距離に対応した異なる態様で、順次表示制御する表示制御手段と
をそれぞれ具備することを特徴とする災害表示システム。
【請求項２】
前記災害発生検知手段は、
温度センサおよび煙センサを含む内部災害検知手段と、
外部災害検知装置からの災害発生信号を受信する災害発生信号受信手段と
を具備し、前記内部災害検知手段の検知出力もしくは前記災害発生信号受信手段の受信出力に基づき災害発生を検知し、
前記災害発生箇所特定手段は、
前記災害発生検知手段が、前記内部検知手段の検知出力に基づき災害発生を検知した場合は、前記災害監視装置の設置位置を災害発生箇所として特定し、前記災害発生信号受信手段の受信出力に基づき災害発生を検知した場合は、前記災害発生信号の発信元の外部災害検知装置の設置位置を災害発生箇所として特定することを特徴とする請求項１に記載の災害表示システム。
【請求項３】
前記表示制御手段は、
前記表示手段による前記矢印表示を、自装置と前記災害発生箇所との距離に対応して異なる色で表示することを特徴とする請求項１または２に記載の災害表示システム。
【請求項４】
前記表示制御手段は、
前記表示手段による前記矢印表示を、自装置と前記災害発生箇所との距離に対応して異なる点滅周期で点滅制御することを特徴とする請求項１乃至３のいずれかに記載の災害表示システム。
【請求項５】
請求項１に記載の災害表示システムで用いられる災害監視装置であって、
温度センサと、
煙センサと、
前記温度センサと前記煙センサの検知出力に基づき災害の発生を検知する内部災害発生検知手段と、
外部災害検知装置からの災害発生信号を受信する災害発生信号受信手段と、
前記内部災害検知手段の検知出力もしくは前記災害発生信号受信手段の受信出力に基づき災害発生を検知する災害発生検知手段と、
前記災害発生検知手段が、前記内部検知手段の検知出力に基づき災害発生を検知した場合は、自装置の設置位置を災害発生箇所として特定し、前記災害発生信号受信手段の受信出力に基づき災害発生を検知した場合は、前記災害発生信号の発信元の外部災害検知装置の設置位置を災害発生箇所として特定する災害発生箇所特定手段と、
前記災害発生箇所特定手段で特定した災害発生箇所を示す災害発生箇所情報を前記複数の災害表示装置に前記第１の近距離通信手段を介して通知する通知手段と、
前記災害発生箇所特定手段で特定した災害発生箇所を示す災害発生箇所情報に基づき災害発生を報知する災害発生報知手段と
を具備することを特徴とする災害監視装置。
【請求項６】
請求項１に記載の災害表示システムで用いられる災害表示装置であって、
前記災害監視装置から通知された前記災害発生箇所情報を受信する受信手段と、
前記受信手段で受信した前記災害発生箇所情報に基づき自装置と災害発生箇所との距離を判別する判別手段と、
前記避難誘導路上の避難誘導方向を矢印表示する表示手段と、
前記第２の近距離通信手段を用いて前記災害表示装置の相互間で通信を行い、被誘導者を前記避難誘導路に沿って誘導すべく、前記表示手段の矢印表示を前記判別手段で判別した自装置と前記災害発生箇所との距離に対応した異なる態様で、順次表示制御する表示制御手段と
を具備することを特徴とする災害表示装置。
【請求項７】
前記表示制御手段は、
前記表示手段による前記矢印表示を、自装置と前記災害発生箇所との距離に対応して異なる色で表示することを特徴とする請求項６に記載の災害表示装置。
【請求項８】
前記表示制御手段は、
前記発光手段による前記矢印表示を、自装置と前記災害発生箇所との距離に対応して異なる点滅周期で点滅制御することを特徴とする請求項６または７に記載の災害表示装置。